(57)【要約】      （修正有）【課題】任意の形状に変化させて異形状の物品を保護することができる緩衝包装袋。【解決手段】緩衝包装袋１を空気供給口２から気体供給部１４を経由して空気を供給される気体室１０を設けて、該気体室により囲まれる物品収容保護空間を内部に形成する。収容する物品を内部保護空間に収容するための開口は気体供給部に被覆されて図では見えない。以上の構成において、それぞれの気体室１０正面及び背面側に包装したい物品の形状に屈曲させる複数の折目７１を所定の間隔で設け、気体を充填して膨張すると、折目７１が包装したい物品に合わせて湾曲するため、包装したい物品の形状に合せて包装し、衝撃から保護することができる。【選択図】図４
0003113108.tif 000002
【実用新案登録請求の範囲】
【請求項１】
複数の気体を充填した気体室によって物品を包装し、収容物品を衝撃などから保護する緩衝包装袋であって、
気体供給口から気体供給部を経由して気体が供給される、熱シールによって分割された複数の気体室を設けて該気体室により囲まれる物品収容保護空間を内部に形成し、
包装袋の正面及び／又は背面側のこれら気体室に包装物品の形状に対応する数及び間隔で複数の折り目を設けることによって、収容物品の形状に合せて変形可能とした、
ことを特徴とする任意の形状に変化させることができる緩衝包装袋。
【請求項２】
前記折目の設置位置及び間隔を包装物品の形状に対応して設けたことを特徴とする請求項１記載の任意の形状に変化させることができる緩衝包装袋。
【請求項３】
前記折目は、長い帯状の形状又は同様の形状であることを特徴とする請求項１記載の任意の形状に変化させることができる緩衝包装袋。
【請求項４】
前記緩衝包装袋に充填する気体は、空気またはその他の不活性気体であることを特徴とする請求項１記載の緩衝包装袋。
【考案の詳細な説明】
【技術分野】
【０００１】
本考案は、任意の形状に変化させることができる緩衝包装袋に関し、特に、それぞれの気体室の正面または背面に複数の折目が設置され、空気が充填されて膨張した後、折目を包装したい物品の形状に合わせて折り曲げることができ、好適に包装したい物品を包装できる立体包装袋に関する。
【背景技術】
【０００２】
図１は従来技術による緩衝包装袋１００を示し、複数の気体室１０が連結されて構成されており、各気体室１０間は熱シール部３１によって分割され、各気体室１０の頚部の位置には気体供給部１４が設けられ、気体供給部１４はお互いに連通しており、気体を緩衝包装袋１００気体供給口２から送り込むと、連通した気体供給部１４から各気体室１０内に充填される。緩衝包装袋１００には熱シール部３７、３８、４０が設けられ、気体室１０を密封された気体袋に形成している。斜め熱シール部３２、３９および耐熱部３３は、気体が気体室１０に進入する流路を構成している。その他、緩衝包装袋１００に気体を充填した後、折目４１、４２、４３、４４部分が湾曲して立体の袋体が形成される。熱シール部４０から始まり、上部の折目４２、次に背面（背面には折目４４、４３が設けられている）、次に下部の折目４１、最後に熱シール部３７という順序で密封された気体袋が形成されている。図２は、従来技術による緩衝包装袋の一気体室の構造を示す斜視図であり、気体室１０中の熱シール部３７、３８、４０および耐熱部３３の部分が上部６１となり、背面が下部６２となる。
【０００３】
図３に示すように、気体充填装置によって、気体供給口２から緩衝包装袋１００に気体の充填を行ったとき、気体は気体供給部１４からそれぞれの気体室１０内に進入して気体室１０は膨張する。膨張した緩衝包装袋１００によって包囲された空間が物品の収容空間となる。気体供給部１４から緩衝包装袋１００の開口部５０を開け、収容したい物品を開口部５０から緩衝包装袋１００内部に入れ、物品は緩衝包装袋１００の気体室１０による保護を受け、運送途中に受ける衝撃によって破損することを防ぐことができる。
【０００４】
緩衝包装袋１００に気体を充填して膨張させたとき、折目４１、４２、４３、４４に沿って湾曲し、緩衝包装袋１００は矩形の立体袋体となり、気体室１０内の圧力の関係によって、矩形の立体袋をその他の形状に湾曲させたい場合でも、気体室１０内の気体圧力の抵抗を受け、湾曲できない。つまり、前述の従来技術による緩衝包装袋１００は矩形の立体袋体の形状に類似する物品しか包装できず、その他の立体形態または不規則な形態の物品を包装した場合、緩衝保護することができず、使用範囲に制限がある。
【特許文献１】特開２００４−３５９３２０号公報
【特許文献２】特表２００４−５１６１９９号公報
【考案の開示】
【考案が解決しようとする課題】
【０００５】
本考案の主な目的は、複数の気体室が連結されて構成されており、各気体室は熱シール部によって分割され、各気体室の頚部の位置には気体供給部が設けられ、気体供給部はお互いに連通しており、気体を気体供給口から送り込むと、連通した気体供給部から各気体室内に充填され、緩衝包装袋のそれぞれの気体室の正面および／または背面は包装したい物品の形状に対応して複数の折目が設置され、折目と折目との間には所定の距離が設けられ、所定の距離は包装したい物品の形状に基づいて決定される任意の形状に変化させることができる緩衝包装袋を提供することにある。
本考案のもう一つの目的は、前述の折目の設置位置および折目と折目との間の距離は、包装したい物品の形状によって決定される任意の形状に変化させることができる緩衝包装袋を提供することにある。
【課題を解決するための手段】
【０００６】
上記課題を達成するために、請求項１の考案は、複数の気体室が連結されて構成された任意の形状に変化させることができる緩衝包装袋であって、各気体室は熱シール部によって分割され、各気体室の頚部の位置には気体供給部が設けられ、気体供給部はお互いに連通しており、気体を気体供給口から送り込むと、連通した気体供給部から各気体室内に充填され、緩衝包装袋のそれぞれの気体室の正面および／または背面は包装したい物品の形状に対応して複数の折目が設置され、折目と折目との間には所定の距離が設けられ、所定の距離は包装したい物品の形状に基づいて決定されることを特徴とする任意の形状に変化させることができる緩衝包装袋である。
【０００７】
請求項２の考案は、折目の設置位置および折目と折目との間の距離は、包装したい物品の形状によって決定されることを特徴とする請求項１記載の任意の形状に変化させることができる緩衝包装袋である。
【０００８】
請求項３の考案は、折目は、長い帯状の形状またはその他の類似した形状であることを特徴とする請求項１記載の任意の形状に変化させることができる緩衝包装袋である。
【０００９】
請求項４の考案は、緩衝包装袋に気体を充填するとき、空気またはその他の不活性気体を選択して充填できることを特徴とする請求項１記載の緩衝包装袋である。
【考案の効果】
【００１０】
緩衝包装袋正面および背面に設置された複数の折目によって、包装したい物品に合わせて緩衝包装袋を湾曲させることができ、緩衝包装袋の形状を任意に不規則に変化させることができ、包装物品の範囲を拡大でき、従来技術における欠点を改善できた。
【考案を実施するための最良の形態】
【００１１】
本考案の具体的な技術内容を説明するために、一実施形態を挙げて説明を行うが、本実施形態は本考案の保護範囲を制限するものではない。
【００１２】
図４に示すように、本実施形態における緩衝包装袋１は、複数の気体室１０が連結されて構成されており、各気体室１０間は熱シール部３１によって分割され、各気体室１０の頚部の位置には気体供給部１４が設けられ、気体供給部１４はお互いに連通しており、気体を緩衝包装袋１気体供給口２から送り込むと、連通した気体供給部１４から各気体室１０内に充填される。緩衝包装袋１には熱シール部３７、３８、４０が設けられ、気体室１０を密封された気体袋に形成している。斜め熱シール部３２、３９および耐熱部３３は気体が気体室１０に進入する流路を構成している。熱シール部３７と熱シール部３８とによって形成される気体供給部１４は封止蓋として開口部５０を被覆している。開口部５０は収容物品を任意の形状に変化させることができる緩衝包装袋１内に出し入れするときの通路となる。
【００１３】
図４、５に示すように、本実施形態の緩衝包装袋１のそれぞれの気体室１０正面には折目４１、４２が設けられ、それぞれの気体室１０の背面には折目４３、４４が設けられている。気体室１０の熱シール部３７、３８、４０および耐熱部３３を有する部分が正面であり、前述の熱シール部３７、３８、４０および耐熱部３３を有さない部分が背面である。緩衝包装袋１に気体を充填した後、折目４１、４２、４３、４４部分が立体形態の四辺の湾曲線となる。
【００１４】
本実施形態の特徴は、緩衝包装袋１のそれぞれの気体室１０正面に包装したい物品の形状に合わせて複数の折目７１が設置されており、折目７１と折目７１との間には所定の距離が設けられ、所定の距離は包装したい物品の形状に合わせて決定され、緩衝包装袋１の背面にも包装したい物品の形状に合わせて複数の折目８１が設置されており、折目８１と折目８１との間には所定の距離が設けられ、所定の距離は包装したい物品の形状に合わせて決定される。本実施形態においては蛇のような連続して湾曲した立体形態を被包装物としているが、さらに例を挙げて説明を行う。
【００１５】
作業員がノズルによって気体を緩衝包装袋１の気体供給口２から充填した後、気体は気体供給部１４から各気体室１０内に進入し、気体室１０は膨張し、膨張した緩衝包装袋１は収納空間を形成し、収容物を収容できる。収容物は各気体室１０によって周囲を保護され、振動や衝撃によって破損するのを防ぐことができる。
【００１６】
図６に示すように、気体を充填すると、緩衝包装袋１が膨張して立体袋体となり、折目４１、４２、４３、４４に沿って湾曲し、緩衝包装袋１は立体袋体となる。次に包装したい物品を緩衝包装袋１の開口部５０から内部に入れ、折目７１と折目８１が包装したい物品の形状に合わせて湾曲し、好適に包装したい物品を包装する立体包装袋が形成される。本実施形態においては包装したい物品の形状は蛇のような連続して湾曲した立体物であるが、気体が充填されて膨張し、湾曲した緩衝包装袋１もまた連続して湾曲した立体形態となる。仮に折目７１、８１の設置位置および相互間の距離を変更した場合、膨張した緩衝包装袋１は異なる立体形態となり、異なる形状の包装したい物品に合わせることができる。即ち、折目７１、８１の設置位置および相互間の距離は包装したい物品の形状に合わせて決定される。
【００１７】
その他、それぞれの気体室１０正面に設けられた折目７１は、それぞれの気体室１０背面に設けられた折目８１とお互いに対称であるとは限らず、その設置位置は包装したい物品の形状によって決定される。本実施形態は、緩衝包装袋１のそれぞれの気体室１０の正面および背面に設置された折目７１、８１によって、本来湾曲できなかった気体室１０を湾曲させることができ、包装できる物品の範囲を広げ、従来技術における容易に使用制限を受けるという欠点を改善した。
【００１８】
任意の形状に変化させることができる緩衝包装袋１に充填される気体は、空気以外にその他の不活性気体でも良い。前述の折目７１、８１の形状は長い帯状以外に、その他の形状としても良い。
【００１９】
緩衝包装袋１正面および背面に設置された複数の折目７１、８１によって、包装したい物品に合わせて緩衝包装袋１を湾曲させることができ、緩衝包装袋１の形状を任意に不規則に変化させることができ、包装物品の範囲を拡大でき、従来技術における欠点を改善し、今までにない優れた構造となっている。
【００２０】
上述の説明は、好適な実施形態を示したものであり、本考案の技術主旨に基づく当該技術に熟知するものによって容易になされる部分的な変更または修飾は全て本考案の権利範囲に含まれる。
【図面の簡単な説明】
【００２１】
【図１】従来技術による緩衝包装袋の気体未充填時の状態を示す平面図である。
【図２】従来技術による緩衝包装袋の一気体室の構造を示す斜視図である。
【図３】従来技術による緩衝包装袋の気体充填後の状態を示す斜視図である。
【図４】本考案による緩衝包装袋の気体未充填時の状態を示す正面図である。
【図５】本考案による緩衝包装袋の気体未充填時の状態を示す背面図である。
【図６】本考案による緩衝包装袋の気体充填後の状態を示す斜視図である。
【符号の説明】
【００２２】
１    緩衝包装袋
１０  気体室
１４  気体供給部
２    気体供給口
３１、３７、３８、４０  熱シール部
３２、３９  斜め熱シール部
３３  耐熱部
４１、４２、４３、４４、７１、８１  折目
５０  開口部
【図１】
0003113108.tif 000003
【図２】
0003113108.tif 000004
【図３】
0003113108.tif 000005
【図４】
0003113108.tif 000006
【図５】
0003113108.tif 000007
【図６】
0003113108.tif 000008